(57)【特許請求の範囲】
【請求項１】
記憶装置が持つ経過等及び処方等の診療情報を電子的に記録再生する機能を備えた診療支援装置であって、
商品名称である薬剤名と有効成分名称と処方単位当たりの有効成分含量と対象病名とを薬剤毎に保持している薬剤マスターテーブルと、
処方日付と薬剤名と処方単位で記述した１日の服用量と処方対象日数とを処方毎に保持する処方等テーブルと、
入力装置から有効成分別且つ薬剤名別の投与期間の表示指令が入力されると該表示指令とともに入力された発症日と表示期間とに基づいて決められる期間内の処方日付を持つ各処方を前記処方等テーブルからメモリ上へそれぞれ読み出し、且つ、読み出した各処方が持つ薬剤名を持つ薬剤を前記薬剤マスターテーブルからメモリ上へそれぞれ読み出すデータ取得手段と、
前記データ取得手段が読み出した処方が持つ１日の服用量と該処方が持つ薬剤名に対応付けて前記データ取得手段が読み出した薬剤が持つ有効成分含量とに基づいて有効成分含量で示す１日当たりの投与量を求める処理を、前記データ取得手段が読み出した各処方についてそれぞれ実行する投与量演算手段と、
前記データ取得手段が読み出した処方が持つ処方日付を起算日として該処方が持つ処方対象日数だけ計数した末日を該処方の処方終端日として決める処理を、前記データ取得手段が読み出した各処方についてそれぞれ実行する処方終端日演算手段と、
前記投与量演算手段が１日当たりの投与量を求め且つ前記処方終端日演算手段が処方終端日を決めた各処方を比較して、同じ薬剤名を持ち且つ同じ１日当たりの投与量を持ち且つ一方の処方の処方終端日と他方の処方の処方日付とが連携関係にある二つの処方については当該他方の処方を重複日数分繰り下げて繋げて連続処方とするとともに当該他方の処方の繰り下げ後の最終日を処方終端日として持つ処方として上記比較に再度供し、同じ有効成分名称を持ち且つ異なる薬剤名を持ち且つ一方の処方の処方終端日と他方の処方の処方日付とが連携関係にある二つの処方については当該他方の処方を重複分繰り下げて繋げて連結処方とし、同じ薬剤名を持ち且つ異なる１日当たりの投与量を持ち且つ一方の処方の処方終端日と他方の処方の処方日付とが連携関係にある二つの処方については当該他方の処方を重複分繰り下げて繋げて連結処方とし、異なる有効成分名称を持つ二つの処方については相互に併用処方に分類する処方分類手段と、
前記処方分類手段が繋げた連続処方に関しては当該連続処方の中の最先の日を投与開始日とするとともに最終の日を投与終了日として投与期間を決め、前記処方分類手段が繰り下げた処方に関しては当該処方の中の繰り下げ後の最先の日を投与開始日とするとともに最終の日を投与終了日として投与期間を決め、前記処方分類手段が繰り下げなかった処方に関しては当該処方の処方日付を投与開始日とするとともに処方終端日を投与終了日として投与期間を決める投与期間演算手段と、
前記処方分類手段が分類し且つ必要に応じて繰り下げた各連続処方及び各処方をそれぞれ比較して、同じ有効成分名称に対応付けられる薬剤名を持つ連続処方又は処方についてはそれぞれの投与期間で区切って同行に配置し、異なる有効成分名称に対応付けられる薬剤名を持つ連続処方又は処方については異行に配置して表示する投与期間表示手段と、
を有することを特徴とする診療支援装置。
【請求項２】
請求項１に於いて、さらに、
前記投与期間表示手段によって表示されている中の何れかの連続処方又は処方が入力装置からの操作入力で選択されると、当該選択された連続処方又は処方に対応付けられる対象病名を前記データ取得手段が読み出した処方と薬剤に基づいて表示し、及び／又は、当該選択された連続処方又は処方の１日当たりの投与量を前記投与量演算手段の演算結果を用いて表示する詳細表示手段、
を有することを特徴とする診療支援装置。
【請求項３】
請求項１又は請求項２に於いて、
前記処方分類手段は、入力装置から有効成分別且つ薬剤名別の投与期間の表示指令とともに発症日と表示期間と薬剤名が入力された場合は、前記データ取得手段がメモリ上へ読み出した処方と薬剤とを参照して、当該処方の中で当該入力された薬剤名が対応付けられる有効成分名称に対応付けられる薬剤名を持つ処方を調査対象処方に分類するとともにそれ以外の処方を併用処方に分類し、
前記投与期間表示手段は、調査対象処方に分類された処方又は調査対象処方に分類された処方を前記分類手段が繋げた連続処方と、併用処方に分類された処方又は併用処方に分類された処方を前記分類手段が繋げた連続処方とを、識別可能に所定の配置及び／又は表示色で表示する、
ことを特徴とする診療支援装置。
【請求項４】
請求項１又は請求項２に於いて、
前記処方分類手段は、入力装置から有効成分別且つ薬剤名別の投与期間の表示指令とともに発症日と表示期間と傷病名が入力された場合は、前記データ取得手段がメモリ上へ読み出した処方と薬剤とを参照して、当該処方の中で当該入力された傷病名を対象病名として持つ薬剤が持つ有効成分名称に対応付けられる薬剤名を持つ処方を調査対象処方に分類するとともにそれ以外の処方を併用処方に分類し、
前記投与期間表示手段は、調査対象処方に分類された処方又は調査対象処方に分類された処方を前記分類手段が繋げた連続処方と、併用処方に分類された処方又は併用処方に分類された処方を前記分類手段が繋げた連続処方とを、識別可能に所定の配置及び／又は表示色で表示する、
ことを特徴とする診療支援装置。
【発明の詳細な説明】
【０００１】
【発明の属する技術分野】
本発明は、経過等及び処方等の診療情報を電子的に記録再生する機能（例：電子カルテに記録再生する電子カルテ機能）を備えたコンピュータ装置である診療支援装置に関する。詳しくは、投与した薬剤の詳細（投与期間、投与量／日，併用薬，等）を見易く表示する機能を備えた診療支援装置に関する。
【０００２】
【従来の技術】
或る薬剤が医療機関等の市場に提供された後、製薬会社が当該或る薬剤の効能や副作用（薬害）等に関して、当該或る薬剤を投与した患者の副作用等の情報収集を目的として、担当医師へ調査（市販後調査）の依頼を行う場合がある。図７と図８に、上記調査の主たる項目を記した調査票を例示する。
図７に示すように、当該薬剤の薬剤名、１日当たりの投与量、及び、投与期間の他、当該薬剤と同時期に併用した薬剤についても、同様に、薬剤名、１日当たりの投与量、及び、投与期間が、調査の対象とされる。
また、図８に示すように、有害事象（傷病）の発生の有無や、発生した場合の発生日及び重篤度、併用薬の有無や、併用薬が有る場合の併用薬剤名、調査対象薬剤の処置、対処療法の有無、転記等についても、調査の対象となる。
医師は、図６に例示するようなカルテ２号紙の記載事項（左欄の経過等・右欄の処方等）を参照して、上記の調査票の各項目に回答を記入する。
【０００３】
【発明が解決しようとする課題】
前記調査票に回答するためには、長期間に渡るカルテの参照が必要であり、また、参照すべき事項数も多い。このため、多大な労力と時間が必要となる。
また、カルテ２号紙の記載形式自体が比較的短期間（極論を言えば２〜３回の受診程度）を対象として構成されており、長期間に渡る追跡調査に適する記載形式ではない。このため、例えば、調査対象の薬剤のみの場合でも、投与期間や１日当たりの投与量をカルテの記載から正確に抽出することは困難である。
まして、調査対象の薬剤以外に、併用薬や有害事象（傷病）をもピックアップして正確に回答することは、併用薬が一般に複数有り、且つ、各投与期間もバラバラであることを考慮すると、極めて困難であると言わざるを得ない。
【０００４】
本発明は、上記の事情に鑑みたものであり、電子カルテの診療情報や診療報酬明細書の計算装置（レセプトコンピュータ）のレセプト情報から、前記調査票に回答するためのデータを正確且つ容易に抽出できるようにして、前述した医師の手間を軽減することを目的とする。
【０００５】
なお、電子カルテの診療情報や診療報酬明細書の計算装置（レセプトコンピュータ）のレセプト情報から、前記調査票に回答するためのデータを正確且つ容易に抽出するための技術は、現時点では見当たらなかった。
【０００６】
【課題を解決するための手段】
本発明は、下記［１］〜［４］のように構成される。
［１］  記憶装置が持つ経過等及び処方等の診療情報を電子的に記録再生する機能を備えた診療支援装置であって、
商品名称である薬剤名と有効成分名称と処方単位当たりの有効成分含量と対象病名とを薬剤毎に保持している薬剤マスターテーブルと、
処方日付と薬剤名と処方単位で記述した１日の服用量と処方対象日数とを処方毎に保持する処方等テーブルと、
入力装置から有効成分別且つ薬剤名別の投与期間の表示指令が入力されると該表示指令とともに入力された発症日と表示期間とに基づいて決められる期間内の処方日付を持つ各処方を前記処方等テーブルからメモリ上へそれぞれ読み出し、且つ、読み出した各処方が持つ薬剤名を持つ薬剤を前記薬剤マスターテーブルからメモリ上へそれぞれ読み出すデータ取得手段と、
前記データ取得手段が読み出した処方が持つ１日の服用量と該処方が持つ薬剤名に対応付けて前記データ取得手段が読み出した薬剤が持つ有効成分含量とに基づいて有効成分含量で示す１日当たりの投与量を求める処理を、前記データ取得手段が読み出した各処方についてそれぞれ実行する投与量演算手段と、
前記データ取得手段が読み出した処方が持つ処方日付を起算日として該処方が持つ処方対象日数だけ計数した末日を該処方の処方終端日として決める処理を、前記データ取得手段が読み出した各処方についてそれぞれ実行する処方終端日演算手段と、
前記投与量演算手段が１日当たりの投与量を求め且つ前記処方終端日演算手段が処方終端日を決めた各処方を比較して、同じ薬剤名を持ち且つ同じ１日当たりの投与量を持ち且つ一方の処方の処方終端日と他方の処方の処方日付とが連携関係にある二つの処方については当該他方の処方を重複日数分繰り下げて繋げて連続処方とするとともに当該他方の処方の繰り下げ後の最終日を処方終端日として持つ処方として上記比較に再度供し、同じ有効成分名称を持ち且つ異なる薬剤名を持ち且つ一方の処方の処方終端日と他方の処方の処方日付とが連携関係にある二つの処方については当該他方の処方を重複分繰り下げて繋げて連結処方とし、同じ薬剤名を持ち且つ異なる１日当たりの投与量を持ち且つ一方の処方の処方終端日と他方の処方の処方日付とが連携関係にある二つの処方については当該他方の処方を重複分繰り下げて繋げて連結処方とし、異なる有効成分名称を持つ二つの処方については相互に併用処方に分類する処方分類手段と、
前記処方分類手段が繋げた連続処方に関しては当該連続処方の中の最先の日を投与開始日とするとともに最終の日を投与終了日として投与期間を決め、前記処方分類手段が繰り下げた処方に関しては当該処方の中の繰り下げ後の最先の日を投与開始日とするとともに最終の日を投与終了日として投与期間を決め、前記処方分類手段が繰り下げなかった処方に関しては当該処方の処方日付を投与開始日とするとともに処方終端日を投与終了日として投与期間を決める投与期間演算手段と、
前記処方分類手段が分類し且つ必要に応じて繰り下げた各連続処方及び各処方をそれぞれ比較して、同じ有効成分名称に対応付けられる薬剤名を持つ連続処方又は処方についてはそれぞれの投与期間で区切って同行に配置し、異なる有効成分名称に対応付けられる薬剤名を持つ連続処方又は処方については異行に配置して表示する投与期間表示手段と、
を有することを特徴とする診療支援装置。
【０００８】
上記２つの構成では、投与期間表示手段による配置を「行」基準で記述しているが、これは理解を容易にするために「行」又は「列」の一方を基準に記述したものであり、「行」基準に代えて「列」基準で記述した構成であっても当然に前記の構成に含まれる。
【０００９】
［２］  前記［１］の構成に於いて、さらに、
前記投与期間表示手段によって表示されている中の何れかの連続処方又は処方が入力装置からの操作入力で選択されると、当該選択された連続処方又は処方に対応付けられる対象病名を前記データ取得手段が読み出した処方と薬剤に基づいて表示し、及び／又は、当該選択された連続処方又は処方の１日当たりの投与量を前記投与量演算手段の演算結果を用いて表示する詳細表示手段、
を有することを特徴とする診療支援装置。
【００１１】
［３］  前記［１］又は［２］の構成に於いて、
前記処方分類手段は、入力装置から有効成分別且つ薬剤名別の投与期間の表示指令とともに発症日と表示期間と薬剤名が入力された場合は、前記データ取得手段がメモリ上へ読み出した処方と薬剤とを参照して、当該処方の中で当該入力された薬剤名が対応付けられる有効成分名称に対応付けられる薬剤名を持つ処方を調査対象処方に分類するとともにそれ以外の処方を併用処方に分類し、
前記投与期間表示手段は、調査対象処方に分類された処方又は調査対象処方に分類された処方を前記分類手段が繋げた連続処方と、併用処方に分類された処方又は併用処方に分類された処方を前記分類手段が繋げた連続処方とを、識別可能に所定の配置及び／又は表示色で表示する、
ことを特徴とする診療支援装置。
【００１２】
［３］  前記［１］又は［２］の構成に於いて、
請求項１又は請求項２に於いて、
前記処方分類手段は、入力装置から有効成分別且つ薬剤名別の投与期間の表示指令とともに発症日と表示期間と傷病名が入力された場合は、前記データ取得手段がメモリ上へ読み出した処方と薬剤とを参照して、当該処方の中で当該入力された傷病名を対象病名として持つ薬剤が持つ有効成分名称に対応付けられる薬剤名を持つ処方を調査対象処方に分類するとともにそれ以外の処方を併用処方に分類し、
前記投与期間表示手段は、調査対象処方に分類された処方又は調査対象処方に分類された処方を前記分類手段が繋げた連続処方と、併用処方に分類された処方又は併用処方に分類された処方を前記分類手段が繋げた連続処方とを、識別可能に所定の配置及び／又は表示色で表示する、
ことを特徴とする診療支援装置。
【００１３】
【発明の実施の形態】
以下、本発明の実施の形態を説明する。
下記の実施の形態では、操作者が、薬剤名、傷病名とその発症日、及び、表示期間を指定すると、電子カルテ機能で用いる診療情報データベース（診療情報ＤＢ：経過等テーブル，処方等テーブル，等のテーブル群から構成される）に記録されている対象患者の診療情報に基づいて、有効成分別に各薬剤名の投与期間をグラフ表示（図４参照）する。また、該グラフ上にて操作者が所望の薬剤名を選択すると、該選択した薬剤名の投与開始日及び投与終了日や１日当たりの投与量を表示するとともに、該薬剤名の対象病名をも併せて表示する。
【００１４】
図１は、実施の形態の診療支援装置（電子カルテ機能を備えたコンピュータ装置）のブロック図である。図２は有効成分別に各薬剤名の投与期間等を表示する手順を示すフローチャート、図３は図２のステップＳ１３中の演算手順を示すフローチャートである。図４は図２のステップＳ１５で表示されるグラフの一例を示し、（ａ）は表示の初期状態、（ｂ）は薬剤名「ロボビタン錠２５」をグラフ上で選択した状態、（ｃ）は薬剤名「イソビタン１０」をグラフ上で選択した状態を示す。図５は図２と図３の手順で用いるテーブルの構成例を示し、（ａ）は診療情報データベースの処方等テーブル、（ｂ）はメモリ上に構成する投薬情報テーブル、（ｃ）は薬剤マスタテーブルを示す。図６は電子カルテのカルテ２号紙画面の表示例を示す説明図である。図７は市販後調査票の一部を例示する説明図、図８は市販後調査票の図７とは異なる一部を例示する説明図である。
【００１５】
本診療支援装置は、図１に示すように、ＣＰＵ１０１，ＲＡＭ１０２，ＲＯＭ１０３，ハードディスク１０４等を備えたコンピュータ１０、液晶モニタ或いはＣＲＴ等で構成される表示装置１２、キーボードやマウス等で構成される入力装置１３、印刷装置１４、等を備えたコンピュータ装置である。これらを有するコンピュータ装置の構成は周知であるため、原則として説明は省略する。また、図１はスタンドアローンの構成例を示しているが、本診療支援装置は、ＬＡＮ上のサーバ及びクライアントを用いて構成してもよい。要は、本発明の機能を実現できる構成であれば、単独のコンピュータ装置であるか、複数のコンピュータ装置を連携させたものであるかは問わない。
【００１６】
ハードディスク１０４には、電子カルテ機能を実現するためのアプリケーションソフトウエアが搭載されている。電子カルテ機能は周知であるため説明は省略する。ハードディスク１０４には、また、処方等テーブルや経過等テーブル等から構成され、診療情報が記録される診療情報データベースや、薬剤マスタテーブル等が格納されている。
【００１７】
経過等テーブルには、主訴・現病歴，医師の所見，検査結果等のように、カルテ２号紙（図６参照）の左欄に記載される診療情報が、受診日に対応付けて記録されている。傷病名とその発症日は、経過等テーブルにより与えられる。
【００１８】
処方等テーブルには、図５（ａ）に示すように、薬剤名、処方日付、処方単位で示す１回の服用量、１日の服用回数、食前食後（服用時）、服用日数、処方対象日数が、薬剤名毎に記録されている。処方対象日数は、当該処方が何日分の処方であるかを示し、図５（ａ）の例では、処方対象日数は服用日数と同じ１４日である。処方対象日数と服用日数とが異なる場合とは、例えば、１週間の中の４日間服用し、３日間休薬するような投与法の場合である。即ち、間欠的投与の場合である。処方単位で示す１回の服用量に１日の服用回数を乗算することで、処方単位で示す１日の服用量を求めることができる。但し、各回の服用量が同じ場合に限る。
【００１９】
薬剤マスタテーブルは、図５（ｃ）に示すように、商品名称である薬剤名、有効成分名称、有効成分含量、有効成分含量の単位、処方単位、対象病名の各項目を、薬剤毎に持つ薬剤基本情報テーブルである。薬剤マスタテーブルにて処方単位と有効成分含量の単位とが対応付けられているため、処方単位で示す１日の服用量を、有効成分含量で示す１日の服用量に換算することができる。
【００２０】
図５（ｂ）に示す投薬情報テーブルは、有効成分別に各薬剤名の投与期間等を表示する手順（図２）内のステップＳ１１〜Ｓ１３に於いて、処方等テーブル（図５（ａ））や、薬剤マスタテーブル（図５（ｃ））に基づいて、メモリ１０２上に作成されるテーブルである。この投薬情報テーブルに基づいて、有効成分別に各薬剤名の投与期間等を表示するグラフ表示（図４）が行われる。
【００２１】
以下、図２と図３のフローチャートに即して、有効成分別に各薬剤名の投与期間等を表示する手順を説明する。なお、患者は指定済みであるとする。
医師等の操作者が、薬剤名、傷病名とその発症日、表示期間を指定して、有効成分別・薬剤名別の投与期間等の表示を操作入力で指令することにより、図２の手順が開始される。
【００２２】
まず、操作入力された薬剤名、傷病名とその発症日、表示期間を、メモリ上に保持する（Ｓ０１）。また、所定値として与えられる処方対象日数の最大値（通常の薬剤では１４日）を、ハードディスク１０４内の該最大値が格納されている所定の記憶番地から読み出してメモリ１０２上に保持する（Ｓ０１）。
【００２３】
次に、ステップＳ０１で保持した発症日と表示期間に基づき、（発症日〜（発症日＋表示期間））の期間内の受診日に対応付けて経過等テーブルに記録されている各傷病名を取得する（Ｓ０３）。また、該取得した各傷病名を、ステップＳ０１で保持した傷病名と同じか否かで区分して、メモリ１０２上に保持する（Ｓ０５）。即ち、ステップＳ０１で保持した傷病名と同じ場合は区分１、異なる場合は区分２として、メモリ１０２上に保持する。
【００２４】
次に、処方の抽出日を決める（Ｓ０７）。これは、傷病の発症日前から処方されていた薬剤を抽出して有害事象を発生させたか否かの検証に供することで、該検証を確実に行い得るようにするためである。ここでは、抽出日として、ステップＳ０１で取得した発症日から処方対象日数の最大値（１４日）だけ遡った日付を採用する。なお、これは一例であり、遡及するべき日数は、調査対象の有害事象（傷病）や薬剤等に応じて適宜に設定してよい。
【００２５】
次に、処方日付が（抽出日〜（発症日＋表示期間））の期間内にある各処方を処方等テーブル（図５（ａ））から取得し（Ｓ０９）、該各処方の薬剤名を、薬剤マスタテーブルを参照して有効成分別に分類する。結果は、メモリ１０２上の投薬情報テーブル（図５（ｂ）参照）の薬剤名と有効成分名称の各項目に対応付けて保持する（Ｓ１１）。例えば、「ロボビタン錠５０」と、「ロボビタン錠２５」とは、有効成分名称が「ロボビタガッチャン」で同じであるため、「ロボビタン錠５０」のレコードの有効成分名称と「ロボビタン錠２５」のレコードの有効成分名称は、共に「ロボビタガッチャン」となる。本診療支援装置では、このように有効成分名称が同じ薬剤名を、図４のグラフ表示に於いて、同行に表示している。例えば、「ロボビタン錠５０」と「ロボビタン錠２５」とは、図４内では、同じ最下行に表示している。
【００２６】
次に、前記ステップＳ０９で取得した各薬剤名の対象病名を、薬剤マスタテーブル（図５（ｃ））から取得して、メモリ１０２上の投薬情報テーブル（図５（ｂ）参照）の対象病名の項目に保持する（Ｓ１３）。なお、図５（ｃ）の薬剤マスタテーブルでは、１の薬剤名に１の対象病名のみを対応付けているが、１の薬剤名に２以上の対象病名を対応付けるように薬剤マスタテーブルを構成することも可能である。その場合には、薬剤名の処方日付をキーとして、経過等テーブルを参照して、傷病名を一意に決めればよい。即ち、薬剤名を処方した処方日付と日付が同じ受診日に対応付けて記録されている傷病名を経過等テーブルから取得して、該薬剤名の対象病名として決めればよい。
【００２７】
上記ステップＳ１３では、また、薬剤名別に、投与開始日，投与終了日，有効成分含量で示す１日当たりの投与量を、演算で求める。この演算は、例えば、図３の手順で実行できる。ここで、図３の手順を説明する。
【００２８】
まず、前記ステップＳ０９で取得した各処方に関し、有効成分含量で示す１日当たりの投与量を求める（Ｓ１３１）。即ち、処方と薬剤名が与えられると（Ｓ０９参照）、ＣＰＵ１０１は、当該処方の処方単位で表す１回の服用量に１日の服用回数を乗算することで処方単位で表す１日の服用量を算出し（図５（ａ）参照）、これを、図５（ｃ）の薬剤マスタテーブルを参照して有効成分含量に換算して、有効成分含量で表す１日当たりの投与量を得る（Ｓ１３１）。
【００２９】
次に、前記ステップＳ０９で取得した各処方に関し、それぞれ、処方終端日を求める（Ｓ１３３）。
処方終端日は、「（処方日付−１）＋処方対象日数」として求めることができる。当然であるが、上記の減算や加算によって月が変わる場合には、その事情を考慮して処方終端日の日付を求める。
【００３０】
次に、連続処方と連結処方を抽出する（Ｓ１３５）。
連続処方は、薬剤名が同じで、且つ、有効成分含量で示す１日当たりの投与量が同じで、且つ、一方の処方の処方終端日と他方の処方の処方日付が同じであるところの２つの処方である。このような２つの処方は連続させて一体化する。例えば、処方等テーブル（図５（ａ））の第１行目のレコードの「ロボビタン錠５０」と第４行目のレコードの「ロボビタン錠５０」のような場合である。
【００３１】
連結処方は、有効成分名称が同じで且つ薬剤名が異なり、且つ、一方の処方の処方終端日と他方の処方の処方日付が同じであるところの２つの処方である。このような２つの処方は、連結させるが、一体化はしない。図４の「ロボビタン錠５０」と「ロボビタン錠２５」のような場合である。
連結処方のもう一つの例として、薬剤名が同じで、且つ、有効成分含量で示す１日当たりの投与量が異なり、且つ、一方の処方の処方終端日と他方の処方の処方日付が同じであるところの２つの処方を挙げることができる。なお、このような例は稀であると思われる。
【００３２】
上述の連続処方と連結処方の何れの場合も、連携関係にある２つの処方を繋げるものであるが、この時、重複する期間がある場合には、該重複期間を順に繰り下げて繋げる。連携関係にあるとは、或る処方の処方対象期間と、別の或る処方の処方対象期間とが、繋げ得る関係にあることをいい、重複がある場合には、重複分だけ繰り下げて繋げる。
【００３３】
例えば、図５（ａ）の例では、処方日付が４月１日の「ロボビタン錠５０」の処方対象期間は４月１日〜４月１４日であり処方終端日は４月１４日である。また、処方日付が４月１５日の「ロボビタン錠５０」の処方対象期間は４月１５日〜４月２８日である。即ち、両者には重複が無い。この場合には、繋げても繰り下げは発生せず、後者の処方終端日は４月２８日のままである。しかし、もし仮に、後者の処方対象期間が４月１４日〜４月２７日であった場合には、１日の重複を持つことになる。このため、両者を繋げる際には、後者を重複分（１日）だけ繰り下げる必要が生ずる。この場合の後者の処方終端日は、繰り下げ後の４月２８日となる。以下、この処方に引き続く処方の処方日付や処方終端日を、必要に応じて繰り下げることとなる。
【００３４】
次に、投与開始日、投与終了日、投与期間を求める（Ｓ１３７）。
即ち、ステップＳ１３５で繋げて一体化した各連続処方、一体化することなく繋げた各連結処方、及び、繋げることなくそのままとした各処方について、それぞれ投与開始日と投与終了日を求める。投与開始日とは、連続処方内の最先の処方の処方日付（図５（ａ）の例で「４月１日」）、又は、連結処方内の各処方の処方日付（図５（ａ）の例で「４月２９日」）、又は、繋げることなくそのままとした各処方の処方日付である。また、投与終了日とは、連続処方内の最後の処方の繰り下げ後の処方終端日（図５（ａ）の例で「４月２８日」）、又は、連結処方内の各処方の処方終端日、又は、繋げることなくそのままとした各処方の処方終端日である。
【００３５】
こうして、各連続処方、各連結処方内の各連続処方及び各処方、及び、各処方に関して、それぞれ、投与開始日、投与終了日、投与期間、有効成分含量で示す１日当たりの投与量が決まると、有効成分別に且つ薬剤名を付して投与期間をグラフ化して表示する（Ｓ１５）。グラフ化表示の例を図４に示す。
【００３６】
図示のように、有効成分名称が同じ処方は同行に一体に表示する。また、有効成分名称が同じで且つ薬剤名が異なる処方は同行に区分して表示する。また、図示はしていないが、薬剤名が同じで有効成分含量で示す１日当たりの投与量が異なる処方は、同行に区分して表示することとする。
【００３７】
上記のように区分されている何れかの領域が、マウス操作等によって選択されると（Ｓ２１でＹＥＳ）、該選択された領域の処方（連続処方／連結処方内の何れかの処方／非連続且つ非連結処方）に関し、有効成分含量で示す１日当たりの投与量、投与開始日、投与終了日、対象病名、発症日、及び、転記を、投薬情報テーブル（図５（ｂ））から読み出して、ポップアップ表示する（Ｓ２３）。図４（ｂ）に「ロボビタン錠２５」の領域を選択した場合、図４（ｃ）にイソビタン１０を選択した場合をそれぞれ示す。なお、重要な情報（例：１日当たりの投与量、対象病名）のみをポップアップ表示し、例えば、投与開始日や投与終了日については対応する境界位置にポインタが置かれた時等にポップアップ表示するようにしてもよい。
【００３８】
また、上記の選択が解除されると（Ｓ２５でＹＥＳ）、ポップアップ表示を消去する（Ｓ２７）。
本診療支援装置は、以上のように機能する。
【００３９】
上記の例では、有効成分名称が同じ処方を同行に配置し、異なる処方を異行に配置しているが、さらに、有効成分名称が同じ処方を同色で表示し、異なる処方を異色で表示するようにしてもよい。
また、上記の例では、調査対象薬剤（ロボビタン錠５０）を含む処方を最下行に配置することで併用薬剤と区別しているが、最下行でなく、最上行に配置してもよい。また、表示色によって調査対象薬剤と併用薬剤とを区別するようにしてもよい。要は、調査対象薬剤と併用薬とを識別できればよい。
また、図４では、有効成分が同じ処方の表示を行方向に行っている（横軸を期間にとっている）が、列方向でもよい。
また、図４では、調査対象薬剤と併用薬の全てを表示しているが、操作入力に応じて、調査対象薬剤のみ、或いは、併用薬のみを、適宜に切り換えて表示するようにしてもよい。
【００４０】
また、上記の例では、電子カルテの診療情報データベースから取得した診療情報（処方等）に基づいて調査対象薬剤や併用薬剤の投与期間等の所望の表示を行っているが、電子化した診療報酬明細書（レセプト）用のデータベースから所要の診療情報（処方等）を取得して、上記と同様にして所望の表示を行うようにしてもよい。但し、レセプトのデータに基づく場合には、カルテ病名とレセプト病名とが異なる場合や、カルテ病名とレセプト病名とを１対１に対応付けられない場合があることを考慮して、例えば、レセプト病名をカルテ病名に一意に変換するテーブルを用意する等しておき、それを参照等する必要がある。
【００４１】
【発明の効果】
前記［１］の診療支援装置は、前述の構成を有するため、電子カルテの診療情報から、製薬会社が医師に依頼する市販後調査の調査票に回答するための情報を正確且つ容易に抽出でき、医師の手間を軽減することができる。
【００４２】
前記［２］の診療支援装置は、前記［１］の構成に於いて、さらに、前述の構成を有するため、前記［１］の構成が持つ効果に加えて、さらに、詳細な情報を知りたい場合には簡単な操作で知ることができる効果がある。
【００４３】
前記［３］の診療支援装置は、前記［１］又は［２］の構成に於いて、前述の構成を有するため、前記［１］や［２］の構成が持つ効果に加えて、さらに、調査対象薬剤と併用薬剤とを容易に識別できる効果がある。
【００４４】
前記［４］の診療支援装置は、前記［１］又は［２］の構成に於いて、前述の構成を有するため、前記［１］や［２］の構成が持つ効果に加えて、さらに、調査対象薬剤と併用薬剤とを容易に識別できる効果がある。
【図面の簡単な説明】
【図１】実施の形態の診療支援装置のブロック図。
【図２】有効成分別に各薬剤名の投与期間等を表示する手順を示すフローチャート。
【図３】図２のステップＳ１３中の演算手順を示すフローチャート。
【図４】図２のステップＳ１５で表示されるグラフの一例を示し、（ａ）は表示初期状態、（ｂ）は薬剤名「ロボビタン錠２５」をグラフ上で選択した状態、（ｃ）は薬剤名「イソビタン１０」をグラフ上で選択した状態を示す。
【図５】図２と図３の手順で用いるテーブルの構成例を示し、（ａ）は診療情報データベースの処方等テーブル、（ｂ）はメモリ上に構成する投薬情報テーブル、（ｃ）は薬剤マスタテーブルを示す。
【図６】電子カルテのカルテ２号紙画面の表示例を示す説明図。
【図７】市販後調査票の一部を例示する説明図。
【図８】市販後調査票の図７とは異なる一部を例示する説明図。
【符号の説明】
１０  コンピュータ
１２  表示装置
１０２  メモリ（ＲＡＭ）
１０４  ハードディスク
【図１】
0003819823.tif 000002
【図２】
0003819823.tif 000003
【図３】
0003819823.tif 000004
【図４】
0003819823.tif 000005
【図５】
0003819823.tif 000006
【図６】
0003819823.tif 000007
【図７】
0003819823.tif 000008
【図８】
0003819823.tif 000009